(57)【要約】【課題】本発明は、薬液槽内に貯溜される薬液の影響を受けず、キャップのロックが成立する薬液槽用投入口キャップのロック構造を提供する。【解決手段】本発明のロック構造は、合成樹脂製の薬液槽１の薬液投入口２を挟んだ両側の壁部分に該壁部分と一体の一対の突起部６を成形し、キャップ２の直上を跨って突起部６間に細長のロック部材８を配置し、ロック部材８の各端部を固定具１１で突起部６に固定させる構造や、薬液槽１の薬液投入口２を挟んだ両側の壁部外面に一対の固定座２０を形成し、キャップ２の直上を跨って固定座間に細長のロック部材８を配置し、固定具２４の雄形部材２２あるいは雌形部材２３の一方の部材を固定座２０の座面に薬液槽内に露出しないよう袋状にインサートし、他方の部材で一方の部材と締結してロック部材８の端部を固定させる構造を採用した。【選択図】      図２
2006076625.tif 000002
【特許請求の範囲】
【請求項１】
薬液投入口を有し、さらに該薬液投入口がキャップで着脱可能に塞がれた合成樹脂製の薬液槽と、
前記薬液投入口を挟んだ両側の薬液槽の壁部分に該壁部分と共に一体に成形された一対の突起部と、
前記キャップの直上を跨って前記一対の突起部間に配置される細長のロック部材と、
前記ロック部材の各端部を前記一対の突起部に固定させる固定手段と
を具備したことを特徴とする薬液槽用投入口キャップのロック構造。
【請求項２】
前記固定手段は、前記ロック部材の端部に形成され前記突起部の先端側を貫通させる突起用通孔と、前記ロック部材を貫通した突起部分に形成された抜止め用通孔と、前記抜止め通孔に挿通されて前記ロック部材の端部を抜止めする抜止め具と
を有して構成されることを特徴とする請求項１に記載の薬液槽用投入口キャップのロック構造。
【請求項３】
薬液投入口を有し、さらに該薬液投入口がキャップで着脱可能に塞がれた合成樹脂製の薬液槽と、
前記薬液投入口を挟んだ両側の薬液槽の壁部外面に形成された一対の固定座と、
前記キャップの直上を跨って前記一対の固定座間に配置される細長のロック部材と、
雄形部材および該雄形部材に締結可能な雌形部材を有してなり、そのうち一方の部材が前記固定座の座面に前記薬液槽内部に対して露出しないよう袋状にインサートされて取り付けられ、他方の部材が前記一方の部材と締結して前記ロック部材の端部を固定せしめる固定具と
を有して構成されることを特徴とする薬液槽用投入口キャップのロック構造。
【請求項４】
前記固定具の雄形部材は、ボルト部材で、前記雌形部材は、前記ボルト部材と対となるナット部材であることを特徴とする請求項３に記載の薬液槽用投入口キャップのロック構造。
【発明の詳細な説明】
【技術分野】
【０００１】
本発明は、薬液槽の投入口を塞ぐキャップをロックする薬液槽用投入口キャップのロック構造に関する。
【背景技術】
【０００２】
近年、井戸水を給水するシステムでは、衛生面の向上のため、除菌装置を用いて除菌、具体的には薬液槽に貯溜された薬液を井戸水に注入して除菌することが進められている。
【０００３】
こうした除菌に用いられる薬液槽は、一般に上部壁に薬液投入口を有し、この薬液投入口から除菌に必要な薬液を貯溜させる構造が用いられている。通常、この薬液投入口は、キャップで塞がれている。
【０００４】
ところで、薬液は、人体に有害な薬液が多く、みだりにキャップが開けられてはいけない場合が多い。
【０００５】
従来、除菌装置では、このような対策のために、特別な構造を装置自身に設けることは行っておらず、その代わりに、除菌装置が設置されている領域に人を立ち入らせないようにした措置が講じられている。
【０００６】
ところが、それでも安全性の不安は払拭できない。そのため、除菌装置など薬液注入装置では、安全性を確保する点に留意して、さらなる安全性の確保を追及するようになった。
【０００７】
その安全性の確保から、除菌装置など薬液注入装置では、既に給水システムの受水槽で用いられているキャップのロック構造を流用して、みだりにキャップを開けられないようロックすることが考えられている。
【０００８】
ここで、従来、受水槽で用いられるキャップのロック構造の多くは、キャップを挟んだ受水槽の上壁部分の両側に、槽内部から金属製ねじ部材を槽外へ貫通させてなるねじ軸部を形成し、キャップの直上にねじ軸部間に渡る細長のロック部材を配置し、同ロック部材の各端部をナットでねじ軸部に締結させる構造が採用されている。
【発明の開示】
【発明が解決しようとする課題】
【０００９】
ところが、薬液槽は、受水槽のときは異なり（受水槽は水）、薬液が貯溜されるために、薬液槽内の薬液の影響により、ねじ部材が槽内に露出する部分から腐食して、ロック構造が成り立たなくなるおそれがある。
【００１０】
そこで、本発明の目的は、薬液槽内に貯溜される薬液の影響を受けず、キャップのロックが成立する薬液槽用投入口キャップのロック構造を提供することにある。
【課題を解決するための手段】
【００１１】
請求項１に記載の発明は、上記目的を達成するために、合成樹脂製の薬液槽の薬液投入口を挟んだ両側の壁部分に該壁部分と共に一体に成形された一対の突起部を形成し、一対の突起部間に、キャップの直上を跨る細長のロック部材を配置し、ロック部材の各端部を固定手段で一対の突起部に固定させるという、薬液槽内の薬液に影響されずにすむロック構造を採用した。
【００１２】
請求項２に記載の発明は、さらに簡単な構造で、請求項１のロック部材の端部の固定が行えるよう、固定手段として、ロック部材の端部に突起部の先端側を貫通させる突起用通孔を形成し、ロック部材を貫通した突起部分に抜止め用通孔を形成し、抜止め通孔に抜止め具を挿通させることによってロック部材を抜止めする構造を採用した。
【００１３】
請求項３に記載の発明は、上記目的を達成するために、薬液槽の薬液投入口を挟んだ両側の壁部外面に一対の固定座を形成し、一対の固定座間に、キャップの直上を跨がる細長のロック部材を配置し、雄形部材と雌形部材とを有する固定具のうちの一方の部材を固定座の座面に薬液槽内に露出しないよう袋状にインサートして取り付け、他方の部材で一方の部材と締結してロック部材の端部を固定せしめるという、薬液槽内の薬液に影響されずにすむロック構造を採用した。
【００１４】
請求項４に記載の発明は、さらに簡単な構造で、請求項３のロック部材の端部の固定が行えるよう、固定具の雄形部材としてボルト部材を採用し、雌形部材として、ボルト部材と対となるナット部材を採用した。
【発明の効果】
【００１５】
請求項１、３に記載の発明によれば、ロック部材を固定させる部品は、薬液槽内に露出させずにすむので、薬液槽内に貯溜されている薬液の影響を受けず、薬液投入口を塞いでいるキャップをロックさせることができる。しかも、ロック部材を固定される部品は、薬液に耐える特殊な部品でなくともよく、コスト的な負担が少なくてすむ。
【００１６】
請求項２、請求項４に記載の発明によれば、上記効果に加え、簡単な部品の組み合わせで、ロック部材の固定ができるといった効果を奏する。
【発明を実施するための最良の形態】
【００１７】
［第１の実施形態］
以下、本発明を図１〜図３に示す第１の実施形態にもとづいて説明する。
【００１８】
図１は、除菌装置など薬液注入装置で用いられる薬液槽のキャップロック構造の平面図、図２はその正面図、図３はその分解斜視図をそれぞれ示している。
【００１９】
図中１は薬液槽を示す。薬液槽１は、合成樹脂部材により、例えば箱形に成形されている。この合成樹脂製薬液槽１の上部壁１ａの中央には，薬液投入口２が一体に成形されている（一部だけ実線で図示）。薬液投入口２は、外周面におねじ部（図示しない）を有する短筒部２ａで形成されている。この薬液投入口２の開口（図示しない）から、例えば井戸水の除菌に使用される薬液が投入されるようにしてある。
【００２０】
つまり、薬液槽１は、薬液投入口２から投入された薬液が貯溜される構造としている。むろん、薬液槽１は、薬液に耐える合成樹脂部材を用いて成形してある。
【００２１】
薬液投入口２は、キャップ３で着脱可能に塞がれている。具体的には、キャップ３は、例えば短筒部２ａを外側から覆う本体部３ａと、この本体部３ａの内周面に形成されためねじ部（図示しない）とを有した構造が用いられている。つまり、薬液投入口２は、短筒部２ａの外周部にキャップ３をねじ込むと塞がり、戻すと開放される構造となっている。
【００２２】
この薬液投入口２を塞いだキャップ３が、キャップロック構造５で、取り外せぬようにロックさせてある。このキャップロック構造５の詳細が図３に示されている。
【００２３】
図３を参照してキャップロック構造５を説明すると、図中６は一対の突起部である。一対の突起部６は、例えば薬液投入口２を挟んだ該投入口２と近い左右側の上部壁１ａ部分の地点から立ち上がる短帯板部６ａから形成されている。なお、短帯板部６ａは、広い面（側面）が前後方向に向くレイアウトで形成してある。この短帯板部６ａは、いずれも薬液槽２の壁部と共に一体に成形されていて、薬液槽２と同様、薬液に耐える性質が与えてある。これら各短帯板部６ａの先端側の板面部分には、ロック用通孔７（本願の抜止め用通孔に相当）が形成してある。
【００２４】
一方、図中８は細長のロック部材である。ロック部材８は、例えば帯板部材の一部、例えば長手方向中央にキャップ外径に合わせたコ字形の隆起部９を形成してなる。この形状により、ロック部材８は、閉じたキャップ３を跨げるようにしてある。またロック部材８の端部８ａは、キャップ３を跨いだとき、突起部６にそれぞれ配置される長さを有している。さらに突起部６と対応する各端部８ａ、８ａの地点には、突起部６が貫通可能なスリット状の突起用通孔１０がそれぞれ形成されている。つまり、ロック部材８は、突起用通孔１０に突起部６を挿通させて、閉じたキャップ３を跨がせると、隆起部９がキャップ３の直上に配置され、座となる両端部８ａ、８ａが薬液槽２の上部壁１ａに配置されるようにしてある。
【００２５】
他方、図中１１は、ロック部材８の各端部８ａ，８ａを固定する固定具（本願の固定手段に相当）を示す。固定具１０には、突起部６貫通後のロック用通孔７へ挿通させる部材、例えばボルト部材１２と、同ボルト部材１２の挿通端と螺合するナット部材１３とが用いられている。この固定具１１により、ロック部材８の各端部８ａ，８ａが突起部６から抜け出せないようにしている。
【００２６】
すなわち、このように構成されたキャップロック構造５を用いて、薬液投入口２を塞いでいるキャップ３をロックするときは、図３に示されるように、まず、ロック部材８を、薬液投入口２の両側にある突起部６，６に挿通させながら、薬液槽１の上部壁１ａ上に載せる。すると、隆起部９は、キャップ３の周囲（左側方、上方、右側方）を囲うように配置される。つまり、ロック部材８は、キャップ３の直上を跨いだ姿勢で突起部６，６間に配置される。
【００２７】
この後、ボルト部材１２を、突起用通孔１０から突き出た各突起部６のロック用通孔７へ差し込む。ついで、図１および図２に示されるように同ボルト部材１２が抜け出ないよう、ボルト部材１２の端部にナット部材１３を装着する。すると、ロック部材８の各端部８ａは、ロック用通孔７に挿通しているボルト部材１２が障害物となって、突起部６から抜け出ないように拘束される。これで、ロック部材８は薬液槽１に固定される。
【００２８】
つまり、キャップ３は、ロック部材８により、取り外せないようにロックされる。
【００２９】
このように薬液槽１と一体な突起部６にロック部材８を固定させる構造にすると、ボルト部材１２やナット部材１３といった腐食のおそれのある固定部品は、薬液槽１内に露出させずにすむ。
【００３０】
したがって、キャップ３のロックが、薬液槽１内の薬液の影響を受けずにできる。しかも、ロック部材８を固定する部品は、薬液槽１内の薬液に影響がなくなることで、薬液に耐える特殊な部品でなくともよくなり、キャップロック構造５はコスト的に安価ですむ。特にロック部材８の固定にボルト部材１２やナット部材１３を用いると、ロック部材８の固定は、簡単、かつ安価な構造でむ。
【００３１】
なお、第１の実施形態では、ボルト・ナット部材１２，１３を用いたが、これに限らず、南京錠などでもよく、ロック用通孔１０に挿通することで固定が行われる部品や機器であればよい。
【００３２】
［第２の実施形態］
図４〜図６は、本発明の第２の実施形態を示す。
【００３３】
本実施形態は、ボルト部材２２とナット部材２３のような雄・雌形部材で構成される固定具２４を用いて、ロック部材８を、薬液槽１内の薬液に影響されぬよう、薬液槽１に固定する構造を採用したものである。
【００３４】
同構造には、薬液槽１側の構造として、図６に示されるように薬液槽１の薬液投入口２を挟んだ両側の上部壁１ａの外面に一対の固定座２０を形成し、これら固定座２０の座面に、例えばナット部材２３（雌形部材に相当）を、インサート成形により、薬液槽１の内部に露出しないように袋状に埋め込んだ構造を用いる。ロック部材８側の構造としては、固定座２０に載るロック部材８の端部８ａにそれぞれボルト通孔２５（通孔）を形成した構造を用いる。
【００３５】
これら構造により、図４および図５に示されるようにロック部材８は、ボルト部材２２を、ボルト通孔２５から、固定座２０上で開口しているナット部材２３のねじ孔へねじ込むと（締結）、各端部８ａが薬液槽１の上部壁１ａに挟みつけられる。なお、２６は、ボルト部材２２の頭部と端部８ａとの間に介在される座金を示している。
【００３６】
このような雄雌式の固定具２４の一方を薬液槽１に袋状にインサートする構造でも、第１の実施形態と同様、キャップ３を、薬液槽１内の薬液の影響を受けぬようロックさせることができる。しかも、固定具２４の各部品は、薬液槽１内の薬液に影響がなくなることで、第１の実施形態と同様、薬液に耐える特殊な部品でなくともよい。特にボルト部材２２やナット部材２３であると、簡単、かつ安価な構造で、ロック部材８の固定ができる。
【００３７】
なお、本実施形態では、ナット部材２３を薬液槽１の上部壁１ａに袋状に埋め込んだ構造を挙げたが、ボルト部材２２の頭部を薬液槽１の上壁部１ａに袋状に埋め込んだ構造でもよい。
【００３８】
但し、第２の実施形態において、第１の実施形態と同じ部分には同一符号を付してその説明を省略した。
【００３９】
なお、本発明は上述した第１，２の実施形態に限定されるものではなく、本発明の主旨を逸脱しない範囲内で種々変更して実施しても構わない。例えば上述したいずれも実施形態も、除菌装置で使用される薬液槽のキャップをロックする例を挙げたが、これに限らず、他の薬液を貯溜する薬液槽に付くキャップをロックさせる構造にも適用できることはいうまでもない。
【図面の簡単な説明】
【００４０】
【図１】本発明の第１の実施形態に係る投入口キャップのロック構造の平面図。
【図２】同じくロック構造の正面図。
【図３】同じくロック構造を分解した斜視図。
【図４】本発明の第２の実施形態に係る投入口キャップのロック構造の平面図。
【図５】同じくロック構造の正面図。
【図６】同じくロック構造を分解した斜視図。
【符号の説明】
【００４１】
１…薬液槽、２…薬液投入口、３…キャップ、５…キャップロック構造、７…ロック用通孔（抜止め用通孔）、１０…突起用通孔、１２，１３…ボルト部材，ナット部材（抜止め具）、２２…ボルト部材（雄形部材）、２３…ナット部材（雌形部材）。
【図１】
2006076625.tif 000003
【図２】
2006076625.tif 000004
【図３】
2006076625.tif 000005
【図４】
2006076625.tif 000006
【図５】
2006076625.tif 000007
【図６】
2006076625.tif 000008